(57)【特許請求の範囲】
【請求項１】
一方端が地中に埋設される埋設部を有すると共に、他方端に光源を有する支柱と、
前記支柱の周囲に配され、前記支柱との間に所定の離間部を有するスリーブ部と、
前記スリーブ部の上方に設けられる反射皿部と、
前記光源を覆うように配され、天頂に反射部が設けられ、前記反射皿部上に固定されるグローブ球と、
前記スリーブ部の下方の前記支柱に取り付けられるネット部材と、
からなることを特徴とする防虫器。
【請求項２】
前記ネット部材が、リング部材に取り付けられる円筒状のネットからなることを特徴とする請求項１に記載の防虫器。
【請求項３】
前記ネット部材の前記ネットが重なるように、前記ネット部材が前記スリーブ部と前記支柱に取り付けられることを特徴とする請求項２に記載の防虫器。
【請求項４】
前記ネット部材が取り付けられた前記支柱の下方には、落下防止ネット部材が設けられることを特徴とする請求項１乃至請求項３のいずれか１項に記載の防虫器。
【請求項５】
前記光源の光を水平方向に反射する水平方向反射板が設けられることを特徴とする請求項１乃至請求項４のいずれか１項に記載の防虫器。
【請求項６】
０．４５μｍより長波長の光が、前記グローブ球外に放射されるように、
前記グローブ球に波長選択塗膜が施されることを特徴とする請求項１乃至請求項５のいずれか１項に記載の防虫器。
【請求項７】
前記グローブ球外に放射される光が、夜行性昆虫が忌避する光であることを特徴とする請求項６に記載の防虫器。
【請求項８】
前記グローブ球外に放射される光が、夜行性昆虫の行動を抑制する光であることを特徴とする請求項６に記載の防虫器。
【発明の詳細な説明】
【技術分野】
【０００１】
本発明は、夜が類、カメムシ類等の農園、倉庫、工場、商店、一般家庭等への夜間活動昆虫を防除する防虫器に関する。
【背景技術】
【０００２】
夜間農園に飛来し、作物に対して加害活動する夜が類として、果樹の成熟果を吸害するアケビコノハ、アカエグリバなどがあり、トマト、ネギ、ショウガ、レタスなどの野菜、カーネーション、キクなどの花き類を加害するものとしてハスモンヨウトウ、シロイチモジヨトウ、オオタバコガ、アワノメイガなどがある。
【０００３】
これらの夜が類の農作物被害防止策として光を利用したものがある。例えば、黄色灯を用いた場合には、昆虫を忌避させ、或いは複眼の明適化により交尾、産卵などの加害活動を抑制するようにしている。
【０００４】
このような装置の一例として、特許文献１（特開２００４−２０８６７６号公報）には、昆虫の忌避光源或いは行動抑制光源とそれを地上に固定する支柱と螺旋状杭とからなる移動式防虫器が開示されている。
【特許文献１】特開２００４−２０８６７６号公報
【発明の概要】
【発明が解決しようとする課題】
【０００５】
従来の装置においては、夜行性昆虫の忌避光源を農園内に配することによって、基本的に夜行性昆虫を近づけないようにすると共に、たまたま作物の近くまで来てしまった夜行性昆虫については、この加害活動を抑制するようにしていた。
【０００６】
しかしながら、夜行性昆虫の中には、気流等で光源に近づいたとき、積極的に光源に向かっていくものがあり、このような夜行性昆虫が光源にぶつかり、光源からの光が届かない場所に落下し、作物に加害活動することにより、光源付近で加害が多くなる、という問題がある。
【課題を解決するための手段】
【０００７】
本発明は、上記のような問題を解決するものであって、本発明に係る防虫器は、一方端が地中に埋設される埋設部を有すると共に、他方端に光源を有する支柱と、前記支柱の周囲に配され、前記支柱との間に所定の離間部を有するスリーブ部と、前記スリーブ部の上方に設けられる反射皿部と、前記光源を覆うように配され、天頂に反射部が設けられ、前記反射皿部上に固定されるグローブ球と、前記スリーブ部の下方の前記支柱に取り付けられるネット部材と、からなることを特徴とする。
【０００８】
また、本発明に係る防虫器は、前記ネット部材が、リング部材に取り付けられる円筒状のネットからなることを特徴とする。
【０００９】
また、本発明に係る防虫器は、前記ネット部材の前記ネットが重なるように、前記ネット部材が前記スリーブ部と前記支柱に取り付けられることを特徴とする。
【００１０】
また、本発明に係る防虫器は、前記ネット部材が取り付けられた前記支柱の下方には、落下防止ネット部材が設けられることを特徴とする。
【００１１】
また、本発明に係る防虫器は、前記光源の光を水平方向に反射する水平方向反射板が設けられることを特徴とする。
【００１２】
また、本発明に係る防虫器は、０．４５μｍより長波長の光が、前記グローブ球外に放射されるように、前記グローブ球に波長選択塗膜が施されることを特徴とする。
【００１３】
また、本発明に係る防虫器は、前記グローブ球外に放射される光が、夜行性昆虫が忌避する光であることを特徴とする。
【００１４】
また、本発明に係る防虫器は、前記グローブ球外に放射される光が、夜行性昆虫の行動を抑制する光であることを特徴とする。
【発明の効果】
【００１５】
本発明に係る防虫器は、グローブ球に飛来してきた夜行性昆虫はネット部材に優先的に留まる特性を利用し、作物中への落下を防ぐようにするものである。さらに、本発明に係る防虫器は、グローブ球の天頂部における反射部で反射した光が、前記支柱と前記スリーブ部と間の離間部から漏れ出て、この漏れ出た光によりネット部材に留まったり、落下したりした夜行性昆虫が、走光性により支柱やネットを登り、ネット部材において行き止まり状態で捕獲されるので、このような本発明に係る防虫器によれば、作物中に落下した夜行性昆虫による加害活動を抑制することが可能となる。
【図面の簡単な説明】
【００１６】
【図１】本発明の実施形態に係る防虫器１００の概要を説明する図である。
【図２】本発明の実施形態に係る防虫器１００においてグローブ球１４０とネット部材１５０が取り外された状態を示す図である。
【図３】本発明の実施形態に係る防虫器１００においてネット部材１５０が取り外された状態を示す図である。
【図４】本発明の実施形態に係る防虫器１００で用いるネット部材１５０を説明する図である。
【図５】ネット部材１５０が取り付けられた本発明の実施形態に係る防虫器１００を示す図である。
【図６】スリーブ部１３０と支柱１１０に取り付けられたネット部材１５０の効果を説明する図である。
【図７】本発明の他の実施形態に係る防虫器１００の概要を説明する図である。
【図８】落下防止ネット部材１６０の一例を示す図である。
【図９】落下防止ネット部材１６０の一例を示す図である。
【図１０】本発明の他の実施形態に係る防虫器１００を示す図である。
【発明を実施するための形態】
【００１７】
以下、本発明の実施の形態を図面を参照しつつ説明する。図１は本発明の実施形態に係る防虫器１００の概要を説明する図である。また、図２は本発明の実施形態に係る防虫器１００においてグローブ球１４０とネット部材１５０が取り外された状態を示す図である。また、図３は本発明の実施形態に係る防虫器１００においてネット部材１５０が取り外された状態を示す図である。
【００１８】
支柱１１０の一方端には、地中に埋設される埋設部１１３が設けられている。この埋設部１１３は、スパイラル杭などで構成することができるが、支柱１１０の一方端を埋設させる方法は任意である。また、支柱１１０とは別に、杭１１１を埋設しておき、この杭１１１と支柱１１０とを締結部材１１２で締結することで、支柱１１０をより強固に固定することもできる。
【００１９】
支柱１１０には安定器１１５が取り付けられており、不図示の電線により商用電源から受電する共に、同じく不図示の電線により光源である高圧ナトリウムランプ１２０に対して給電を行う。なお、本実施形態においては、光源として高圧ナトリウムランプ１２０を用いているが、蛍光灯やＬＥＤやＨＩＤなどの光源も用いることができる。
【００２０】
支柱１１０の他方端には、ソケット１１８が取り付けられており、さらに、このソケット１１８には高圧ナトリウムランプ１２０が取り付けられ、安定器１１５からの給電により点灯するようになっている。
【００２１】
支柱１１０の周囲には、円筒状部材であるスリーブ部１３０が設けられており、このスリーブ部１３０の上方には反射皿部１３５が設けられている。スリーブ部１３０は外周の３方から、ボルト部材１３７で支柱１１０を締め付けることで、支柱１１０と一体化されている。
【００２２】
上記のようにスリーブ部１３０が支柱１１０に取り付けられているため、支柱１１０とスリーブ部１３０との間は、所定の離間部１３２が設けられる。この離間部１３２からは、高圧ナトリウムランプ１２０が点灯しているときには、高圧ナトリウムランプ１２０により発せられた光や、グローブ球１４０の天頂反射部１４５で反射された光が漏れるようになっている。
【００２３】
グローブ球１４０は、反射皿部１３５上部に不図示の固定手段によって固定される。グローブ球１４０は高圧ナトリウムランプ１２０を覆うように設けられており、さらに、その天頂には天頂反射部１４５が設けられている。天頂反射部１４５は金属蒸着などによっても形成してもよいし、グローブ球１４０と独立した反射板をグローブ球１４０に取り付けるようにしてもよい。
【００２４】
また、グローブ球１４０には、０．４５μｍ付近より長波長の光が、グローブ球１４０外に放射されるように、グローブ球１４０内面に波長選択塗膜（不図示）が施されている。グローブ球１４０外に放射される光は、夜行性昆虫が忌避する光であるし、また、夜行性昆虫の行動を抑制する光でもある。
【００２５】
上記のような波長選択塗膜としては、本願発明者による特開２０００−１２５７４６号公報、特開２００９−２５４３３３号公報、特開２００９−３９１２８号公報などに記載のものを用いることができる。なお、本明細書においては、これらの公報に記載されている事項を参照して援用するものとする。
【００２６】
図３に示すように、グローブ球１４０外に出射される光としては、概ね略水平方向に放射される放射光と、反射皿部１３５で反射され、略上方に放射される放射光と、がある。これにより、夜行性昆虫は、防虫器１００を忌避し、防虫器１００に近づかないように回避行動をとる。
【００２７】
しかしながら、気流等で防虫器１００付近に飛来してきた夜行性昆虫は、その走光性により防虫器１００に向かってくるものがあり、このような夜行性昆虫がグローブ球１４０にぶつかり、防虫器１００からの光が届かない場所に落下し、作物に対する加害活動を行う可能性がある、という問題があった。
【００２８】
そこで、本発明に係る防虫器１００においては、スリーブ部１３０と支柱１１０にネット部材１５０を取り付けて、このような問題に対処するようにしている。まず、ネット部材１５０自体の構成を図４に基づいて説明する。図４は本発明の実施形態に係る防虫器１
００で用いるネット部材１５０を説明する図である。
【００２９】
ネット部材１５０は、金属からなるリング部材１５１と、このリング部材１５１に一方の開放端が取り付けられている円筒状のネット１５２と、から構成されている。リング部材１５１から所定距離のネット１５２には、紐部材１５４がネット１５２の編み目に通されている。
【００３０】
次に、このようなネット部材１５０のスリーブ部１３０と支柱１１０への取り付け、及び、その効果について説明する。図５はネット部材１５０が取り付けられた本発明の実施形態に係る防虫器１００を示す図である。また、図６はスリーブ部１３０と支柱１１０に取り付けられたネット部材１５０の効果を説明する図である。
【００３１】
図６に示すように、ネット部材１５０は、紐部材１５４が設けられている位置で折り返して、ネット１５２が二重となっている重なり部１５７を設けるようにして、スリーブ部１３０に取り付ける。また、紐部材１５４をスリーブ部１３０に結びつけて締結部１５５を構成することでネット部材１５０をスリーブ部１３０に固定する。
【００３２】
スリーブ部１３０と支柱１１０のネット１５２に留まっている夜行性昆虫はその複眼の明適化によって活動が抑制される。夜行性昆虫はネット１５２から下方の作物中に落ち、或いは移動し加害することはない。
【００３３】
支柱１１０とスリーブ部１３０との間の離間部１３２からは、高圧ナトリウムランプ１２０により発せられた光や、グローブ球１４０の天頂反射部１４５で反射された光が漏れ出るようになっている。すると、ネット１５２に留まったり、或いは、防虫器１００近傍に落下したしたりした夜行性昆虫は、その走光性により、ネット部材１５０を登る行動を示す。
【００３４】
ネット部材１５０を登る夜行性昆虫は、図６に示すように、リング部材１５１の内周部に進入し、ネット１５２が二重となっている重なり部１５７で行き止まりになって捕獲される。これにより、防虫器１００近傍に飛来した夜行性昆虫による加害活動を抑制することが可能となる。
【００３５】
以上、本発明に係る防虫器１００は、グローブ球１４０の天頂部における天頂反射部１４５で反射した光が、前記支柱１１０と前記スリーブ部１３０と間の離間部１３２から漏れ出て、この漏れ出た光により落下した夜行性昆虫が、走光性により支柱１１０を登りネット部材１５０で捕獲されるので、このような本発明に係る防虫器１００によれば、落下した夜行性昆虫による加害活動を抑制することが可能となる。
【００３６】
本発明に係る防虫器１００は、グローブ球に飛来してきた夜行性昆虫はネット部材に優先的に留まる特性を利用し、作物中への落下を防ぐようにするものである。さらに、本発明に係る防虫器１００は、グローブ球１４０の天頂部における天頂反射部１４５で反射した光が、前記支柱１１０と前記スリーブ部１３０と間の離間部１３２から漏れ出て、この漏れ出た光によりネット部材１５０に留まったり、落下したりした夜行性昆虫が、走光性により支柱１１０やネット１５２を登り、ネット部材１５０において行き止まり状態で捕獲されるので、このような本発明に係る防虫器１００によれば、作物中に落下した夜行性昆虫による加害活動を抑制することが可能となる。
【００３７】
次に、本発明の他の実施形態について説明する。図７は本発明の他の実施形態に係る防虫器１００の概要を説明する図である。
【００３８】
他の実施形態においては、グローブ球１４０に衝突して落下する夜行性昆虫が、地面に落下しないように落下防止ネット部材１６０を支柱１１０に取り付けた構成となっている。この落下防止ネット部材１６０は、ネット部材１５０の下方にある支柱１１０に取り付ける。また、落下防止ネット部材１６０を支柱１１０に取り付けるための構成については図示省略している。
【００３９】
図８は落下防止ネット部材１６０の一例を示す図である。この落下防止ネット部材１６０は、上端は開口部とされ、下端はネットで閉じられると共に、周囲にもネットが配されている。
【００４０】
また、図９に示す落下防止ネット部材１６０は、略矩形状のネットから構成される。図９に示したものは、図８に示す落下防止ネット部材１６０より簡便に構成することができる。
【００４１】
以上のような他の実施形態によれば、落下防止ネット部材１６０により、夜行性昆虫を作物中に落下させないので、夜行性昆虫による作物に対する加害活動をより抑制することが可能となる。
【００４２】
次に、本発明の他の実施形態について説明する。図１０は本発明の他の実施形態に係る防虫器１００を示す図である。図１０に示す実施形態においては、グローブ球１４０内の高圧ナトリウムランプ１２０近傍に、水平方向反射板１７０が設けられている。このような水平方向反射板１７０を固定するための具体的な構成については図示省略されている。また、水平方向反射板１７０は凹状の反射面を有するものがこのまましい。
【００４３】
このような水平方向反射板１７０は、例えば近くに民家などがあり、防虫器１００から民家側への光を遮光したい場合などに好適に用いることができる。また、水平方向反射板１７０を用いることで、実際の農園周辺の状況などに応じて、防虫器１００の配光パターンをより適切とすることが可能となる。
【００４４】
以上、本発明に係る防虫器１００は、グローブ球１４０の天頂部における天頂反射部１４５で反射した光が、前記支柱１１０と前記スリーブ部１３０と間の離間部１３２から漏れ出て、この漏れ出た光により防虫器１００のネット１５２に留まっている夜行性昆虫が上方に登りネット部材１５０で捕獲されるので、このような本発明に係る防虫器１００によれば、作物中に落下した夜行性昆虫による加害活動を抑制することが可能となる。
【符号の説明】
【００４５】
１００・・・防虫器
１１０・・・支柱
１１１・・・杭
１１２・・・締結部材
１１３・・・埋設部
１１５・・・安定器
１１８・・・ソケット
１２０・・・高圧ナトリウムランプ（光源）
１３０・・・スリーブ部
１３２・・・離間部
１３５・・・反射皿部
１３７・・・ボルト部材
１４０・・・グローブ球
１４５・・・天頂反射部
１５０・・・ネット部材
１５１・・・リング部材
１５２・・・ネット
１５４・・・紐部材
１５５・・・締結部
１５７・・・重なり部
１６０・・・落下防止ネット部材
１７０・・・水平方向反射板
【図１】
0006475562.tif 000002
【図２】
0006475562.tif 000003
【図３】
0006475562.tif 000004
【図４】
0006475562.tif 000005
【図５】
0006475562.tif 000006
【図６】
0006475562.tif 000007
【図７】
0006475562.tif 000008
【図８】
0006475562.tif 000009
【図９】
0006475562.tif 000010
【図１０】
0006475562.tif 000011